【手続補正書】
【提出日】平成18年4月20日(2006.4.20)
【手続補正１】
【補正対象書類名】明細書
【補正対象項目名】特許請求の範囲
【補正方法】変更
【補正の内容】
【特許請求の範囲】
【請求項１】
監視地点の撮影を行なう監視カメラと、該監視カメラの撮影画像を符号化・圧縮して伝送する第１の動画像コーデックと、該第１の動画像コーデックから伝送された信号を受信する第２の動画像コーデックとを備えた遠隔監視システムにおいて、複数の前記監視カメラの撮影画像を切り替えて出力するカメラ切り替え制御部と、該カメラ切り替え制御部から出力された前記監視カメラの画像信号を増幅する画像入力部と、該画像入力部から出力された画像信号を圧縮する画像符号化部と、監視領域内の異常の発生を検出するアラーム受信部と、前記画像符号化部で圧縮した画像信号を保存する符号化画像保存部とを有し、前記アラーム受信部が監視領域内の異常の発生を検出した場合、前記第１の動画像コーデックは前記第２の動画像コーデックに自動発信を行ない、前記符号化画像保存部に保存された異常の発生を検出する前の画像信号から伝送することを特徴とする遠隔監視システム。
【請求項２】  請求項１記載の遠隔監視システムであり、前記第２の動画像コーデックは前記監視地点の電話番号を登録する環境設定管理部を備え、前記環境設定管理部で選択された前記監視地点の電話番号を順次発呼することを特徴とする遠隔監視システム。
【手続補正２】
【補正対象書類名】明細書
【補正対象項目名】０００６
【補正方法】変更
【補正の内容】
【０００６】
【課題を解決するための手段】
本発明は、上記問題を解決するため、請求項１記載の遠隔監視システムでは、アラーム受信部が監視領域内の異常の発生を検出した場合、監視カメラの撮影画像を符号化・圧縮して伝送する第１の動画像コーデックが第２の動画像コーデックに自動発信を行ない、監視カメラで撮像され画像符号化部で圧縮された画像信号を保存する符号化画像保存部に保存された異常の発生を検出する前の画像信号から伝送することで、アラーム発生時の前後の画像情報を容易に再現し、監視の信頼性を高めている。
【手続補正３】
【補正対象書類名】明細書
【補正対象項目名】０００７
【補正方法】変更
【補正の内容】
【０００７】
【発明の実施の形態】
請求項１記載の遠隔監視システムに関する発明は、監視地点の撮影を行なう監視カメラと、該監視カメラの撮影画像を符号化・圧縮して伝送する第１の動画像コーデックと、該第１の動画像コーデックから伝送された信号を受信する第２の動画像コーデックとを備えた遠隔監視システムにおいて、複数の前記監視カメラの撮影画像を切り替えて出力するカメラ切り替え制御部と、該カメラ切り替え制御部から出力された前記監視カメラの画像信号を増幅する画像入力部と、該画像入力部から出力された画像信号を圧縮する画像符号化部と、監視領域内の異常の発生を検出するアラーム受信部と、前記画像符号化部で圧縮した画像信号を保存する符号化画像保存部とを有し、前記アラーム受信部が監視領域内の異常の発生を検出した場合、前記第１の動画像コーデックは前記第２の動画像コーデックに自動発信を行ない、前記符号化画像保存部に保存された異常の発生を検出する前の画像信号から伝送することを特徴とする。
【手続補正４】
【補正対象書類名】明細書
【補正対象項目名】０００９
【補正方法】変更
【補正の内容】
【０００９】
請求項２記載の発明は、請求項１に記載の遠隔監視システムであり、前記第２の動画像コーデックは前記監視地点の電話番号を登録する環境設定管理部を備え、前記環境設定管理部で選択された前記監視地点の電話番号を順次発呼することが可能な構成とする。
【手続補正５】
【補正対象書類名】明細書
【補正対象項目名】００１０
【補正方法】変更
【補正の内容】
【００１０】
この構成により、監視側の操作負担が軽減され、広域監視における監視体制の省人化が可能となる。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】削除
【補正の内容】
【手続補正２６】
【補正対象書類名】明細書
【補正対象項目名】００３１
【補正方法】削除
【補正の内容】
【手続補正２７】
【補正対象書類名】明細書
【補正対象項目名】００３２
【補正方法】削除
【補正の内容】
【手続補正２８】
【補正対象書類名】明細書
【補正対象項目名】００３３
【補正方法】削除
【補正の内容】
【手続補正２９】
【補正対象書類名】明細書
【補正対象項目名】００３４
【補正方法】削除
【補正の内容】
【手続補正３０】
【補正対象書類名】明細書
【補正対象項目名】００３５
【補正方法】削除
【補正の内容】
【手続補正３１】
【補正対象書類名】明細書
【補正対象項目名】００３６
【補正方法】削除
【補正の内容】
【手続補正３２】
【補正対象書類名】明細書
【補正対象項目名】００３７
【補正方法】削除
【補正の内容】
【手続補正３３】
【補正対象書類名】明細書
【補正対象項目名】００３８
【補正方法】削除
【補正の内容】
【手続補正３４】
【補正対象書類名】明細書
【補正対象項目名】００３９
【補正方法】削除
【補正の内容】
【手続補正３５】
【補正対象書類名】明細書
【補正対象項目名】００４０
【補正方法】削除
【補正の内容】
【手続補正３６】
【補正対象書類名】明細書
【補正対象項目名】００４１
【補正方法】削除
【補正の内容】
【手続補正３７】
【補正対象書類名】明細書
【補正対象項目名】００４２
【補正方法】削除
【補正の内容】
【手続補正３８】
【補正対象書類名】明細書
【補正対象項目名】００４３
【補正方法】削除
【補正の内容】
【手続補正３９】
【補正対象書類名】明細書
【補正対象項目名】００４４
【補正方法】削除
【補正の内容】
【手続補正４０】
【補正対象書類名】明細書
【補正対象項目名】００４５
【補正方法】削除
【補正の内容】
【手続補正４１】
【補正対象書類名】明細書
【補正対象項目名】００４６
【補正方法】削除
【補正の内容】